(57)【要約】      （修正有）【課題】ゴルフボールに付着した汚れを拭き取ることは勿論のこと、ゴルフクラブ等の他のゴルフ用具やプレーヤの手や衣服等に付着した汚れも拭き取ることのできる汚れ拭取具を提供する。【解決手段】一端にフック３が設けられ、他端にクリップ４が設けられた伸縮性のコイル２と、該クリップ４にクリップ止めされたタオル５とから構成された汚れ拭取具であって、前記タオル５は、マイクロファイバーの布で形成され、該布は、展開した状態において、ほぼ長方形状をなして上端縁の両側が角形の隅部である一方、下端縁の両側が弧状の隅部８になっている形態であり、該布は三つ折りされた状態で上端縁が重ね縫いされ、当該重ね縫いされた部分が前記クリップ４でクリップ止めされることを特徴とする。【選択図】図１
0003143293.tif 000002
【実用新案登録請求の範囲】
【請求項１】
一端にフックが設けられ、他端にクリップが設けられた伸縮性のコイルと、
該クリップにクリップ止めされたタオルとから構成された汚れ拭取具であって、
前記タオルは、マイクロファイバーの布で形成され、該布は、展開した状態において、ほぼ長方形状をなして上端縁の両側が角形の隅部である一方、下端縁の両側が弧状の隅部になっている形態であり、該布は三つ折りされた状態で上端縁が重ね縫いされ、当該重ね縫いされた部分が前記クリップでクリップ止めされることを特徴とするゴルフ用汚れ拭取具。
【考案の詳細な説明】
【技術分野】
【０００１】
本考案は、ゴルフクラブ、ゴルフボール等のゴルフ用具や、シューズ、サングラス等に付着した土汚れ等の汚れを容易に拭き取ることのできるゴルフ用汚れ拭取具に関するものである。
【背景技術】
【０００２】
ゴルフクラブやゴルフボール等のゴルフ用具、シューズ、サングラス等には、プレー中に、土、水等の汚れが付着する機会が多い。
【考案の開示】
【考案が解決しようとする課題】
【０００３】
一般的には、大判のタオル（スポーツタオル等）をキャディバッグに結び付けておき、汚れはタオルで拭き取るようにしている。しかし、このようにした場合には、大判のタオルが垂れ下がって見栄えが悪い上に、当該大判のタオルによって、キャディバッグのポケットが隠されてしまって、プレーヤはポケットを使いづらいという問題があった。又、この場合、タオルは乾きにくく、拭き取った汚れがいつまでも目に付き、更には、タオルに付着した汚れがキャディバッグに移ってキャディバッグが汚れる場合があるという問題があった。更に又、タオルの長さの範囲でしか使用できないという問題もあった。
【０００４】
又、小型のタオルを面ファスナーでキャディバッグに固定したものが市販されている。小型のタオルは、前述の大判のタオルとは異なって、見栄えが良く、又、キャディバッグのポケットを隠すことがないという利点があるが、この場合、小型のタオルを使用するに際して、その都度、面ファスナーを外さなければならず繁雑、面倒であるという問題があった。
【０００５】
このために、従来から、ゴルフクラブやゴルフボール等のゴルフ用具、シューズ、サングラス等に付着した土汚れや水汚れを簡易に、且つ効率良く、拭き取ることのできる汚れ拭取具が望まれていた。
【０００６】
特許文献１や特許文献２には、ゴルフボールに付着した汚れを拭き取るようにした汚れ拭取具が記載されている。
【特許文献１】実用新案登録第３１３９８４８号公報
【特許文献２】特開２００２−１３６６２２号公報
【０００７】
しかし、特許文献１、特許文献２に記載の汚れ拭取具はゴルフボールに付着した汚れを浄化することができるとしても、ゴルフクラブに付着した汚れや、シューズ、サングラス等に付着した汚れを浄化することまでは意図してはいないものであった。
【０００８】
本考案は、前述の背景技術の問題点に鑑みて成されたもので、その目的は、ゴルフボールに付着した汚れを拭き取ることは勿論のこと、ゴルフクラブ等の他のゴルフ用具、シューズ、サングラス等に付着した汚れも拭き取ることのできる汚れ拭取具を提供することにある。
【課題を解決するための手段】
【０００９】
請求項１に記載の考案は、一端にフックが設けられ、他端にクリップが設けられた伸縮性のコイルと、該クリップにクリップ止めされたタオルとから構成された汚れ拭取具であって、
前記タオルは、マイクロファイバーの布で形成され、該布は、展開した状態において、ほぼ長方形状をなして上端縁の両側が角形の隅部である一方、下端縁の両側が弧状の隅部になっている形態であり、該布は三つ折りされた状態で上端縁が重ね縫いされ、当該重ね縫いされた部分が前記クリップでクリップ止めされることを特徴とするものである。
【考案の効果】
【００１０】
汚れ拭取具のフックをキャディバッグ等のゴルフ用具に引っ掛けることで、汚れ拭取具をゴルフ用具に取り付ける。タオルを握って引っ張ると、伸縮性コイルが伸びるために、ゴルフクラブを楽に拭くことができる上に、シューズを履いたまま拭くことができる。そして、ゴルフクラブ等のゴルフ用具やシューズ、サングラス等に付着した汚れを拭き取った後、タオルを手から離すことで、タオルは伸縮性コイルによって、キャディバッグ側へ引き戻されて元の状態に戻る。タオルは、このように引き戻される際に揺さぶられることで、元の三つ折りの状態に自然に復元するために、プレーヤ等がタオルを敢えて三つ折りの状態に折り畳む必要がない。又、タオルが伸縮性コイルによって引き戻されて、元の三つ折りの状態に復元する際に、汚れを拭き取ることで汚れた面が内側に折り畳まれてキャディバッグに接触しないために、キャディバッグを汚すことがない。
【考案を実施するための最良の形態】
【００１１】
図１は、汚れ拭取具の全体を示す。図２は、タオルを展開した状態を示す。図３は、タオルを三つ折りにした状態を示す。図４は汚れ拭取具からタオルを外した状態の斜視図を示す。図５は、図４の状態において、フックを開けた状態を示す斜視図を示す。図６は汚れ拭取具をキャディバッグに取り付けた状態の斜視図を示す。図７は作用を示す図である。
【００１２】
汚れ拭取具１は、伸縮性コイル２と、フック３と、クリップ４と、タオル５とを備えている。
【００１３】
該伸縮性コイル２の素材として樹脂を用い、黄変防止のために、色付けして用いることができる。伸縮性コイル２は、つるまきばねによって形成することもできる。該伸縮性コイル２の一端には前記フック３が取り付けられ、他端には前記クリップ４が取り付けられている。伸縮性コイル２の長さは、自然の長さで１００mmから２００mmが好ましい。
【００１４】
タオル５は、マイクロファイバーの布で製造されることができる。マイクロファイバーは、水分を素早く吸収でき、且つ、速乾性があって、しなやかであるという特性を有している。又、タオル５をループ付きのマイクロファイバーで製造した場合には、タオル５の復元性が更に高まる。又、タオル５の布は、図２に示すように、展開した状態で略長方形状の布を左右から内側へ折り畳むことで、図３に示すように、三つ折りにすると共に、上端縁５Ａに沿って直線縫いされた重ね縫い部６が設けられている。タオル５は、該重ね縫い部６を前記クリップ４で挟んでクリップ止めすることで、クリップ４に連結される。重ね縫い部６はこのように直線縫いされているために、クリップ４で止め易い。又、タオル５の布は、展開した状態において特徴的な形態をなしている。即ち、一般のタオルは、その４隅部が全て同一の角形、又は弧状に形成されている。しかし、本実施形態のタオル５の布は、図２に示すように、展開した状態において、上端縁５Ａの両側の二つの隅部７，７が角形である一方、下端縁５Ｂの両側が弧状の隅部８，８に形成することができる。更に、該布の周縁はまつり縫いを施すことで、ほつれを防止することができる。
【００１５】
フック３は、箱状のフック本体９からカギ状に突設した第１フック部１０と、フック本体９から出没自在に設けられた第２フック部１１とから構成され、第１フック部１０と第２フック部１１との間が挿入部１２となっている。前記フック本体９内には、ばねが内蔵されて、第２フック部１１をフック本体９外へ常時突出する向きのばね力を付与している。
【００１６】
第２フック部１１がフック本体９内へ没入した状態で前記挿入部１２が開き、第２フック部１１がフック本体９から突出して該第２フック部１１の先端が第１フック部１０に当接した状態で、挿入部１２が閉じた状態になるものである。又、フック本体９の側面には、指を当てるための操作突起１３が設けられている。該操作突起１３は第２フック部１１から延設されると共に、フック本体９の側面に設けられた溝１４から外部へ突出している。該操作突起１３を手で操作することで、該操作突起１３は、溝１４に沿ってスライドして前記第２フック部１１先端が前記第１フック部１０から離間して挿入部１２が開く一方、該操作突起１４から手を離すことによって、第２フック部１１が前記ばねのばね力によって第１フック部１０に当接して挿入部１２を閉じるようになっている。
【００１７】
次に、作用について説明する。先ず、図２に示すように、タオル５の布を展開した状態から該布を三つ折りした後、上端縁５Ａを直線縫いして重ね縫い部６を設ける。次に、図３に示すように、タオル５の重ね縫い部６を、クリップ４でクリップ止めする。
【００１８】
次に、フック３の操作突起１３を操作して、第２フック部１１を第１フック部１０から離間して、挿入部１２を開ける。次に、図６に示すように、キャディバッグＫの表面の任意のベルト等のリング状の部位をフック３に通すことで、汚れ拭取具１をキャディバッグＫに取り付ける。
【００１９】
そして、ゴルフクラブやボールに付着した汚れを拭き取る場合には、図６に示すように、タオル５を手で握って、タオル５を手元側へ引き寄せる。次に、図１中、矢印で示すように、タオル５の下部側を広げて、ゴルフクラブやボールを包み込むようにして、ゴルフクラブやボールに付着した汚れを拭き取ることができる。
【００２０】
タオル５は、マイクロファイバーでタオル地となるように製造されているために、ゴルフクラブやボールに付着している汚れを強力に拭き取ることができる。又、マイクロファイバーは、繊維と繊維との間の無数の隙間に保水するできる保水性を有していることによって、ゴルフクラブやボール等に付着している水も強力に吸い取ってゴルフクラブやボール等を清浄にすることができる。そして、マイクロファイバーは速乾性の特性を有するために、水を吸い取ったタオルは急速に乾燥することができる。
【００２１】
その後、タオル５を握っていた手を離すことで、タオル５は伸縮性コイル２に引っ張られてキャディバッグＫ側へ引き戻される。
【００２２】
この際、タオル５の布の下側の隅部８が弧状になっているために、通常のタオル、つまり、４つの隅部が角形になっている場合と比較して以下の作用効果を奏する。前述のように、タオル５は、伸縮性コイル２で引き戻されて、揺さぶられることになるが、通常のタオルは、その角形の隅部が、揺さぶられる際の抵抗や、周囲の物に当たる等して折れ曲がって見栄えが悪いが、本実施形態のタオル５の布は前述のように、下側の隅部８が弧状になっているために、前述のように、伸縮性コイル２によって揺さぶられて元の三つ折りに畳まれた状態に戻る際の抵抗が少なく、むしろ、このように、揺さぶられることで、タオル５は元の三つ折りに折り畳まれた状態に復元し易いと共に、前述のように、汚れを拭き取ることで汚れたタオル５の面は内側へ畳まれるようにして自然に収納されて、汚れが内側へ隠されるために、タオル５に付着した汚れがキャディバッグに移る虞が少ない上に、外観上、見栄えが良く保たれる。
【００２３】
又、前述のように、ボール等の汚れを拭き取ることで、タオル５が一時シワになった場合、下端の両端が角形になっている場合には、伸縮性コイル２で引っ張られても元の三つ折りの状態に戻りにくい。しかし、本実施形態のタオル５においては、マイクロファイバーが、シワになり難いという特性を有し、又、タオル５の布の下端両端が弧状の隅部８なっているために、タオル５が、前述のように、伸縮性コイル２で引っ張られて揺さぶられることで、そのシワがきれいに除去されて見栄えの良い状態で元の三つ折りの状態に戻ることができる。
【００２４】
又、マイクロファイバーは長毛であって、繊維がほつれ難いという特性を有するために、ゴルフクラブやボール等に付着した汚れを、タオルで力を入れて雑に拭き取るような使い方をしても、タオル５は長持ちすることができる。
【００２５】
そして、ゴルフクラブやボール等に付着した汚れを拭き取ることで、タオル５に付着した汚れは、タオル５をクリップから外して洗濯することできれいに除去されるために、タオル５を繰り返して使用することができる。
【００２６】
又、マイクロファイバーとして、フラットなマイクロファイバーを用いることができるが、ループ付きマイクロファイバーを用いた場合には、このループ付きマイクロファイバーが柔らかく厚みがあるために、グリーンフォーク、鋭角なパターの汚れを拭き取る際に、プレーヤの手を十分に保護することができる。
【００２７】
又、図３に示すように、タオル５の上端５Ａ側に設けられた重ね縫い部６は直線縫いされたことで、図７に示すように、布の上端の両隅部１５，１５を内側へ三角形に折り畳んで縫製する場合と比較して以下の作用効果を奏することができる。
【００２８】
図７に示すように縫製した場合には、両隅部１５，１５を内側へ折り畳むことによって、タオルの実際に使用できる範囲が、折り畳むことによる範囲Ｍの分だけ狭くなってしまう。一方、図３に示すように、直線縫いした場合には、タオル５は広い範囲に亘って使用することができる。又、図７に示すように縫製した場合には、両隅部１５，１５を内側へ折り畳むことで、タオルの上端側が厚くなって縫製しづらいが、図３に示す場合には、タオル５の上側は厚くなることがなく、縫製し易い。
【００２９】
又、図２に示すように、タオル５の布の上端の両隅部７は角形に形成されているが、仮に、丸形に形成した場合には、図３に示すように三つ折りにした際に、段差部Ｄが表れるために、三つ折りにした状態で直線縫いをしづらいという問題がある。又、縫製し易くするために、段差部Ｄの手前で、縫製を停止した場合には、タオル５の端５Ｃまで縫製しないために、見栄えが悪いという問題が起きるが、本実施形態のように、タオル５の布の上端の両隅部７は角形に形成した場合には、前記段差部Ｄが表れないために、直線縫いをし易い上に見栄えが良い。
【図面の簡単な説明】
【００３０】
【図１】図１は、汚れ拭取具の全体の斜視図を示す。
【図２】図２は、タオルの布を展開した状態を示す。
【図３】図３は、タオルを三つ折りにした状態を示す。
【図４】図４は、汚れ拭取具からタオルを外した状態の斜視図を示す。
【図５】図５は、図４においてフックを開けた状態の斜視図を示す。
【図６】図６は、汚れ拭取具をキャディバッグに取り付けた状態を示す。
【図７】図７は、作用を説明する図である。
【符号の説明】
【００３１】
１  汚れ拭取具
２  伸縮性コイル
３  フック
４  クリップ
５  タオル
６  重ね縫い部
【図１】
0003143293.tif 000003
【図２】
0003143293.tif 000004
【図３】
0003143293.tif 000005
【図４】
0003143293.tif 000006
【図５】
0003143293.tif 000007
【図６】
0003143293.tif 000008
【図７】
0003143293.tif 000009